(57)【特許請求の範囲】
【請求項１】
ワイヤレス通信の方法であって、
プロセッサによって、競合ベースの周波数スペクトル上の信号を受信することと、
前記プロセッサによって、前記受信した信号に基づいて信号パラメータを測定することと、
前記プロセッサによって、前記受信した信号の品質を推定することと、ここにおいて、前記品質を前記推定することは、前記受信した信号上で干渉レベルを測定することを含み、
前記プロセッサによって、前記受信した信号の前記品質が所定の品質しきい値を超えているかどうかを決定することと、
前記受信した信号の前記品質が前記所定の品質しきい値を超えていると決定することに応答して、前記プロセッサによって、基地局に報告するために前記信号パラメータを処理することと、ここにおいて、前記受信した信号の前記品質が前記所定の品質しきい値を超えていると前記決定することは、
前記受信した信号が、前記測定した信号パラメータを無効にするのに十分な干渉レベルを受けていないことと、
前記受信した信号が基準信号を含むことと、を示し、
前記受信した信号の前記品質が前記所定の品質しきい値を満たしていないと決定することに応答して、前記プロセッサによって、前記基地局に報告するために前記信号パラメータを前記処理することを除外することと、ここにおいて、前記受信した信号の前記品質が前記所定の品質しきい値を満たしていないと前記決定することは、
前記受信した信号が、前記測定した信号パラメータを無効にするのに十分な干渉レベルを受けていることと、
前記受信した信号が前記基準信号を含まないこと、のうちの少なくとも１つを示す
を備える、方法。
【請求項２】
前記処理することが、
前記プロセッサによって、最後の有効な信号パラメータ以降の時間期間を決定することと、
前記時間期間が最小しきい値を超えることに応答して、前記プロセッサによって、有効な信号パラメータとして前記信号パラメータを識別することと
を含む、請求項１に記載の方法。
【請求項３】
前記プロセッサによって、現在の測定期間の間の信号パラメータ測定値の数を決定することと、
信号パラメータ測定値の前記数が最小測定しきい値を超えることに応答して、前記プロセッサによって、前記基地局に前記有効な信号パラメータを送信することと
をさらに含む、請求項２に記載の方法。
【請求項４】
前記プロセッサによって、信号パラメータ測定値の前記数が前記最小測定しきい値を超えていないことを決定することと、
信号パラメータ測定値の前記数が前記最小測定しきい値を超えていないことに応答して、前記プロセッサによって、前記最後の有効な信号パラメータを送信することと
をさらに含む、請求項３に記載の方法。
【請求項５】
前記プロセッサによって、信号パラメータ測定値の前記数が前記最小測定しきい値を超えていないことを決定することと、
前記プロセッサによって、前記基地局へのインジケーションを送信することと
をさらに含む、ここにおいて、信号パラメータ測定値の前記数が前記最小測定しきい値を超えていないことを前記インジケーションが前記基地局に通知する、請求項３に記載の方法。
【請求項６】
前記インジケーションが、
明示的ビットインジケータ、
暗示的インジケータ、または
所定の信号パラメータ値
のうちの１つを含む、請求項５に記載の方法。
【請求項７】
ワイヤレス通信のために構成される装置であって、
競合ベースの周波数スペクトル上の信号を受信するための手段と、
前記受信した信号に基づいて信号パラメータを測定するための手段と、
前記受信した信号の品質を推定するための手段と、ここにおいて、前記品質を前記推定することは、前記受信した信号上で干渉レベルを測定することを含み、
前記受信した信号の前記品質が所定の品質しきい値を超えているかどうかを決定するための手段と、
前記受信した信号の前記品質が前記所定の品質しきい値を超えているとの決定に応答して実行可能な、基地局に報告するために前記信号パラメータを処理するための手段と、ここにおいて、前記受信した信号の前記品質が前記所定の品質しきい値を超えているとの前記決定は、
前記受信した信号が、前記測定した信号パラメータを無効にするのに十分な干渉レベルを受けていないことと、
前記受信した信号が基準信号を含むことと、を示し、
前記受信した信号の前記品質が前記所定の品質しきい値を満たしていないとの決定に応答して実行可能な、前記基地局に報告するために前記信号パラメータを前記処理することを除外するための手段と、ここにおいて、前記受信した信号の前記品質が前記所定の品質しきい値を満たしていないとの前記決定は、
前記受信した信号が、前記測定した信号パラメータを無効にするのに十分な干渉レベルを受けていることと、
前記受信した信号が前記基準信号を含まないこと、のうちの少なくとも１つを示す
を備える、装置。
【請求項８】
処理するための前記手段が、
最後の有効な信号パラメータ以降の時間期間を決定するための手段と、
前記時間期間が最小しきい値を超えることに応答して、有効な信号パラメータとして前記信号パラメータを識別するための手段と
を含む、請求項７に記載の装置。
【請求項９】
現在の測定期間の間の信号パラメータ測定値の数を決定するための手段と、
信号パラメータ測定値の前記数が最小測定しきい値を超えることに応答して、前記基地局に前記有効な信号パラメータを送信するための手段と
をさらに含む、請求項８に記載の装置。
【請求項１０】
信号パラメータ測定値の前記数が前記最小測定しきい値を超えていないことを決定するための手段と、
信号パラメータ測定値の前記数が前記最小測定しきい値を超えていないことに応答して、前記最後の有効な信号パラメータを送信するための手段と
をさらに含む、請求項９に記載の装置。
【請求項１１】
信号パラメータ測定値の前記数が前記最小測定しきい値を超えていないことを決定するための手段と、
前記基地局へのインジケーションを送信するための手段と
をさらに含む、ここにおいて、信号パラメータ測定値の前記数が前記最小測定しきい値を超えていないことを前記インジケーションが前記基地局に通知する、請求項９に記載の装置。
【請求項１２】
前記インジケーションが、
明示的ビットインジケータ、
暗示的インジケータ、または
所定の信号パラメータ値
のうちの１つを含む、請求項１１に記載の装置。
【請求項１３】
プログラムコードを記録した非一時的コンピュータ可読媒体であって、前記プログラムコードが、請求項１乃至６のうちのいずれか１つのステップを行うように配列される、非一時的コンピュータ可読媒体。
【発明の詳細な説明】
【技術分野】
【０００１】
関連出願の相互参照
[0001]本出願は、参照によりその全体が本明細書に明確に組み込まれる、２０１５年７月３１日に出願した「ＭＥＡＳＵＲＥＭＥＮＴ  ＡＮＤ  ＲＥＰＯＲＴ  ＯＦ  ＳＩＧＮＡＬ  ＴＲＡＮＳＭＩＳＳＩＯＮＳ  ＩＮ  ＬＴＥ／ＬＴＥ−Ａ  ＩＮＣＬＵＤＩＮＧ  ＣＯＮＴＥＮＴＩＯＮ−ＢＡＳＥＤ  ＳＨＡＲＥＤ  ＳＰＥＣＴＲＵＭ」という題名の米国仮特許出願第６２／１９９，７６６号、および２０１６年７月１４日に出願した「ＭＥＡＳＵＲＥＭＥＮＴ  ＡＮＤ  ＲＥＰＯＲＴ  ＯＦ  ＳＩＧＮＡＬ  ＴＲＡＮＳＭＩＳＳＩＯＮＳ  ＩＮ  ＬＴＥ／ＬＴＥ−Ａ  ＩＮＣＬＵＤＩＮＧ  ＣＯＮＴＥＮＴＩＯＮ−ＢＡＳＥＤ  ＳＨＡＲＥＤ  ＳＰＥＣＴＲＵＭ」という題名の米国実用特許出願第１５／２１０，３７９号の利益を主張するものである。
【０００２】
[0002]本開示の態様は、一般にワイヤレス通信システムに関し、より詳細には、競合ベースの共有スペクトルを含むロングタームエボリューション（ＬＴＥ（登録商標））／ＬＴＥアドバンスト（ＬＴＥ−Ａ）システムにおける信号送信の測定および報告に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することにより、複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥと通信し得る。
【０００５】
[0005]いくつかの通信モードは、セルラーネットワークの競合ベースの共有無線周波数スペクトル帯域上での、または異なる無線周波数スペクトル帯域（たとえば、認可無線周波数スペクトル帯域または無認可無線周波数スペクトル帯域）上での基地局とＵＥとの間の通信を可能にし得る。認可無線周波数スペクトル帯域を使用するセルラーネットワークにおいて増加しているデータトラフィックとともに、無認可無線周波数スペクトル帯域への少なくとも一部のデータトラフィックのオフローディングが、拡張されたデータ伝送容量のための機会をセルラー事業者に提供し得る。無認可無線周波数スペクトル帯域はまた、認可無線周波数スペクトル帯域へのアクセスが利用可能でないエリアにサービスを提供し得る。
【０００６】
[0006]競合ベースの共有無線周波数スペクトル帯域へのアクセスを獲得し、その帯域上で通信するより前に、基地局またはＵＥは、共有無線周波数スペクトル帯域へのアクセスを求めて競合するために、リッスンビフォアトーク（ＬＢＴ：listen before talk）手順を実行し得る。ＬＢＴ手順は、競合ベースの共有無線周波数スペクトル帯域のチャネルが利用可能であるかどうかを決定するために、クリアチャネルアセスメント（ＣＣＡ：clear channel assessment）手順を実行することを含み得る。競合ベースの共有無線周波数スペクトル帯域のチャネルが利用可能であると決定されたとき、チャネルを予約するためにチャネル使用ビーコン信号（ＣＵＢＳ：channel usage beacon signal）など、チャネル予約信号が送信され得る。
【発明の概要】
【０００７】
[0007]本開示の一態様では、ワイヤレス通信の方法が、競合ベースの周波数スペクトル上の基準信号を受信することと、基準信号に基づいて信号パラメータを測定することと、基準信号の品質を推定することと、品質を推定することに応答して、基地局に報告するために信号パラメータを処理することとを含む。
【０００８】
[0008]本開示のさらなる態様では、ワイヤレス通信の方法が、競合ベースの周波数スペクトル上のＵＥからの信号パラメータ測定値を受信することと、競合ベースの周波数スペクトルのクリアチャネルアセスメント（ＣＣＡ）を実施することと、競合ベースの周波数スペクトルが占有されているとＣＣＡが示すことに応答して、ＵＥからの信号パラメータ測定値を無視することとを含み、ここにおいて、信号パラメータ測定値は、媒体にアクセスできない基地局に対応する。
【０００９】
[0009]本開示のさらなる態様では、ワイヤレス通信の方法が、競合ベースの周波数スペクトル上のＵＥからのインジケーション信号を受信することと、ここにおいて、信号パラメータ測定値の数が最小測定しきい値を超えていないことをインジケーションが基地局に通知する、インジケーション信号に基づいてＵＥとの接続の通信管理を実施することとを含む。
【００１０】
[0010]本開示のさらなる態様では、ワイヤレス通信のために構成される装置が、競合ベースの周波数スペクトル上の基準信号を受信するための手段と、基準信号に基づいて信号パラメータを測定するための手段と、基準信号の品質を推定するための手段と、品質の推定に応答して実行可能な、基地局に報告するために信号パラメータを処理するための手段とを含む。
【００１１】
[0011]本開示のさらなる態様では、ワイヤレス通信のために構成される装置が、競合ベースの周波数スペクトル上のＵＥからの信号パラメータ測定値を受信するための手段と、競合ベースの周波数スペクトルのＣＣＡを実施するための手段と、競合ベースの周波数スペクトルが占有されているとＣＣＡが示すことに応答して実行可能な、ＵＥからの信号パラメータ測定値を無視するための手段とを含み、ここにおいて、信号パラメータ測定値は、媒体にアクセスできない基地局に対応する。
【００１２】
[0012]本開示のさらなる態様では、ワイヤレス通信のために構成される装置が、競合ベースの周波数スペクトル上のＵＥからのインジケーションを受信するための手段と、ここにおいて、信号パラメータ測定値の数が最小測定しきい値を超えていないことをインジケーションが基地局に通知する、インジケーション信号に基づいてＵＥとの接続の通信管理を実施するための手段とを含む。
【００１３】
[0013]本開示の追加の態様では、プログラムコードを記録した非一時的コンピュータ可読媒体。プログラムコードは、競合ベースの周波数スペクトル上の基準信号を受信するためのコードと、基準信号に基づいて信号パラメータを測定するためのコードと、基準信号の品質を推定するためのコードと、品質を推定するためのコードの実行に応答して実行可能な、基地局に報告するために信号パラメータを処理するためのコードとをさらに含む。
【００１４】
[0014]本開示の追加の態様では、プログラムコードを記録した非一時的コンピュータ可読媒体。プログラムコードは、競合ベースの周波数スペクトル上のＵＥからの信号パラメータ測定値を受信するためのコードと、競合ベースの周波数スペクトルのＣＣＡを実施するためのコードと、競合ベースの周波数スペクトルが占有されているとＣＣＡが示すことに応答して実行可能な、ＵＥからの信号パラメータ測定値を無視するためのコードとをさらに含み、ここにおいて、信号パラメータ測定値は、媒体にアクセスできない基地局に対応する。
【００１５】
[0015]本開示の追加の態様では、プログラムコードを記録した非一時的コンピュータ可読媒体。プログラムコードは、競合ベースの周波数スペクトル上のＵＥからのインジケーション信号を受信するためのコードと、ここにおいて、信号パラメータ測定値の数が最小測定しきい値を超えていないことをインジケーションが基地局に通知する、インジケーション信号に基づいてＵＥとの接続の通信管理を実施するためのコードとをさらに含む。
【００１６】
[0016]本開示の追加の態様では、ワイヤレス通信のために構成される装置が開示される。装置は、少なくとも１つのプロセッサと、プロセッサに結合されたメモリとを含む。プロセッサは、競合ベースの周波数スペクトル上の基準信号を受信し、基準信号に基づいて信号パラメータを測定し、基準信号の品質を推定し、品質の推定に応答して、基地局に報告するために信号パラメータを処理するように構成される。
【００１７】
[0017]本開示の追加の態様では、ワイヤレス通信のために構成される装置が開示される。装置は、少なくとも１つのプロセッサと、プロセッサに結合されたメモリとを含む。プロセッサは、競合ベースの周波数スペクトル上のＵＥからの信号パラメータ測定値を受信し、競合ベースの周波数スペクトルのＣＣＡを実施し、競合ベースの周波数スペクトルが占有されているとＣＣＡが示すことに応答して、ＵＥからの信号パラメータ測定値を無視するように構成され、ここにおいて、信号パラメータ測定値は、媒体にアクセスできない基地局に対応する。
【００１８】
[0018]本開示の追加の態様では、ワイヤレス通信のために構成される装置が開示される。装置は、少なくとも１つのプロセッサと、プロセッサに結合されたメモリとを含む。プロセッサは、競合ベースの周波数スペクトル上のＵＥからのインジケーション信号を受信し、ここにおいて、信号パラメータ測定値の数が最小測定しきい値を超えていないことをインジケーションが基地局に通知する、インジケーション信号に基づいてＵＥとの接続の通信管理を実施するように構成される。
【００１９】
[0019]上記は、以下の発明を実施するための形態がより良く理解され得るように、本開示による例の特徴および技術的利点についてやや広く概説した。以下で、追加の特徴および利点が説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のために提供されるものであり、特許請求の範囲の限定の定義として提供されるものではない。
【００２０】
[0020]以下の図面を参照することにより、本開示の本質および利点のより一層の理解が実現され得る。添付の図では、同様の構成要素または特徴は、同じ参照ラベルを有する場合がある。さらに、同じタイプの様々な構成要素は、参照ラベルの後に、ダッシュと、同様の構成要素の間を区別する第２のラベルとを続けることによって区別される場合がある。第１の参照ラベルだけが本明細書において使用される場合、その説明は、第２の参照ラベルにかかわらず、同じ第１の参照ラベルを有する同様の構成要素のうちのいずれにも適用可能である。
【図面の簡単な説明】
【００２１】
【図１】[0021]様々な実施形態による、ワイヤレス通信システムの一例を示す図。
【図２Ａ】[0022]様々な実施形態による、無認可スペクトルの中でＬＴＥを使用するための展開シナリオの例を示す図。
【図２Ｂ】[0023]様々な実施形態による、無認可スペクトルの中でＬＴＥを使用するための展開シナリオの別の例を示す図。
【図３】[0024]本開示の様々な態様による、無認可無線周波数スペクトル帯域上のワイヤレス通信の一例の図。
【図４】[0025]本開示の様々な態様による、競合ベースの共有無線周波数スペクトル帯域にアクセスするための競合時に、送信装置により実施されるＣＣＡ手順の一例の図。
【図５】[0026]本開示の様々な態様による、競合ベースの共有無線周波数スペクトル帯域にアクセスするために競合するとき、送信装置によって実行される拡張ＣＣＡ（ＥＣＣＡ）手順の一例を示す図。
【図６】[0027]図１の複数の基地局／ｅＮＢのうちの１つであり得る基地局／ｅＮＢおよび複数のＵＥのうちの１つであり得るＵＥの設計のブロック図。
【図７】[0028]競合ベースのスペクトル上の送信ストリームを示すブロック図。
【図８】[0029]本開示の一態様を実装するために実行される例示的なブロックを示すブロック図。
【図９】[0030]信号パラメータ測定値を取り出して報告するための、ＵＥ内の測定モデルを示すブロック図。
【図１０】[0031]本開示の一態様を実施するために実行される例示的なブロックを示すブロック図。
【発明を実施するための形態】
【００２２】
[0032]添付の図面に関して以下に記載する発明を実施するための形態は、様々な構成を説明するものであり、本開示の範囲を限定するものではない。むしろ、発明を実施するための形態は、本発明の主題の完全な理解を与えるための具体的な詳細を含む。これらの具体的な詳細は、あらゆる場合において必要とされるとは限らないこと、および場合によっては、よく知られている構造および構成要素は、提示を明快にするためにブロック図の形式で示されることが、当業者には明らかであろう。
【００２３】
[0033]無認可無線周波数スペクトル帯域がワイヤレス通信システム上での競合ベースの通信の少なくとも一部分のために使用される技法について説明する。いくつかの例では、競合ベースの共有無線周波数スペクトル帯域は、ロングタームエボリューション（ＬＴＥ）通信またはＬＴＥアドバンスト（ＬＴＥ−Ａ）通信のために使用され得る。競合ベースの無線周波数スペクトル帯域は、非競合認可無線周波数スペクトル帯域と組み合わせて、またはそれとは無関係に使用され得る。いくつかの例では、競合ベースの無線周波数スペクトル帯域は、無線周波数スペクトル帯域が、少なくとも部分的に、ＷｉＦｉ（登録商標）使用などの無認可使用のために利用可能であるので、デバイスもまたアクセスを求めて競合する必要があることがある無線周波数スペクトル帯域であり得る。
【００２４】
[0034]認可無線周波数スペクトル帯域を使用するセルラーネットワークにおけるデータトラフィックの増加とともに、無認可帯域内などの競合ベースの共有無線周波数スペクトル帯域への少なくとも一部のデータトラフィックのオフロードは、セルラー事業者（たとえば、ＬＴＥ／ＬＴＥ−Ａネットワークなどのセルラーネットワークを定義する基地局の協調させられたセットまたは公衆陸上移動体ネットワーク（ＰＬＭＮ）の事業者）にデータ送信容量の増強のための機会を与え得る。上述のように、無認可スペクトルなどの競合ベースの共有無線周波数スペクトル帯域上で通信する前に、デバイスは、共有無線周波数スペクトル帯域へのアクセスを獲得するためにＬＢＴ手順を実行し得る。そのようなＬＢＴ手順は、無認可無線周波数スペクトル帯域のチャネルが利用可能であるかどうかを決定するために、ＣＣＡ手順（または拡張ＣＣＡ手順）を実行することを含み得る。競合ベースの無線周波数スペクトル帯域のチャネルが利用可能であると決定されたとき、チャネル予約信号（たとえば、ＣＵＢＳ）が、チャネルを予約するために送信され得る。チャネルが利用可能ではないと決定されると、ＣＣＡ手順（または、拡張ＣＣＡ手順）が、もっと後の時間においてチャネルに対して再び実行され得る。
【００２５】
[0035]基地局および／またはＵＥが競合ベースの共有無線周波数スペクトル帯域上で送信可能な複数のアンテナポートを含むとき、異なるアンテナポートからの送信は、送信された信号間の相関によって互に干渉する場合がある。競合ベースの共有無線周波数スペクトル帯域のチャネルを予約するために使用されるチャネル予約信号の場合、送信された信号間の相関による干渉の低減は、チャネルを予約するために良好な検出能力を与えるために、ならびにチャネルを不必要に予約し他のデバイスがそのチャネルを使用するのを防止することになる誤検出を防止するために重要であり得る。異なるアンテナからの信号の相互相関または単一のアンテナからの信号の自己相関によるそのような干渉を低減するために、基地局またはＵＥは、チャネル予約信号のシーケンスを送信するアンテナポートと関連付けられたアンテナポート識別子に少なくとも部分的に基づいてシーケンスを生成し得る。このようにして、チャネル予約信号の相関が低減され、それによって信号送信の検出能力を改善し、競合ベースの共有無線周波数スペクトル帯域のチャネルのより効果的でより正確な予約をもたらすことができる。
【００２６】
[0036]言い換えれば、無認可無線周波数スペクトル帯域のチャネルを予約するために使用されるチャネル予約信号の場合、チャネル予約信号は、チャネル予約が、共有無線周波数スペクトル帯域へのアクセスを試行している他のデバイスによって容易に検出され得るように、誤認警報を低減するために良好な検出性を伴って構成されるべきである。したがって、チャネル予約信号シーケンスは、良好な自己相関特性と近隣基地局からのシーケンスとの良好な相互相関特性とを有するべきである。たとえば、１次同期信号（ＰＳＳ）、２次同期信号（ＳＳＳ）および／またはチャネル状態情報基準信号（ＣＳＩ−ＲＳ）は、良好な自己相関特性または競合ベースの共有無線周波数スペクトル帯域内の異なる基地局間の良好な相互相関特性を有さない場合がある。したがって、チャネル予約信号シーケンスは、良好な自己相関と相互相関特性をもたらすためにアンテナポート識別子に少なくとも部分的に基づいて構成されるべきである。
【００２７】
[0037]以下の説明は、例を与えるものであり、特許請求の範囲に記載される範囲、適用性、または例を限定するものではない。本開示の範囲から逸脱することなく、説明される要素の機能および構成において変更が行われ得る。様々な例は、適宜に、様々な手順または構成要素を、省略、置換、または追加し得る。たとえば、説明される方法は、説明される順序とは異なる順序で実行され得、様々なステップが追加され、省略され、または組み合わされ得る。また、いくつかの例に関して説明される特徴は、他の例では組み合わされ得る。
【００２８】
[0038]図１は、本開示の様々な態様による、例示的なワイヤレス通信システム１００の図である。ワイヤレス通信システム１００は、基地局１０５と、ＵＥ１１５と、コアネットワーク１３０とを含み得る。コアネットワーク１３０は、ユーザ認証、アクセス許可、トラッキング、インターネットプロトコル（ＩＰ）接続性、および他のアクセス機能、ルーティング機能、またはモビリティ機能を提供し得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示されず）の制御下で動作し得る。様々な例では、基地局１０５は、ワイヤードまたはワイヤレス通信リンクであり得るバックホールリンク１３４（たとえば、Ｘ２など）を介して他の基地局１０５と直接または間接的に（たとえば、コアネットワーク１３０を通じて）通信し得る。
【００２９】
[0039]基地局１０５は、１つまたは複数の基地局アンテナを介してＵＥ１１５とワイヤレスに通信することができる。基地局１０５サイトのそれぞれは、それぞれの地理的カバレージエリア１１０の通信カバレージを提供することができる。いくつかの例では、基地局１０５は、基地トランシーバ局、無線基地局、アクセスポイント、無線トランシーバ、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタ（図示せず）に分割され得る。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００３０】
[0040]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、または他のタイプのセルに通信カバレージを提供し得る。「セル」という用語は、状況に応じて、基地局、基地局に関連付けられたキャリアもしくはコンポーネントキャリア、またはキャリアもしくは基地局のカバレージエリア（たとえば、セクタなど）を記述するために使用され得る３ＧＰＰ（登録商標）用語である。
【００３１】
[0041]マクロセルは、比較的大きい地理的エリア（たとえば、半径数キロメートル）をカバーし得、ネットワーク事業者のサービスに加入しているＵＥによる無制限アクセスを可能にし得る。スモールセルは、マクロセルと同じまたは異なる（たとえば、認可、無認可などの）無線周波数スペクトル帯域内で動作し得る、マクロセルと比較して低電力の基地局であり得る。スモールセルは、様々な例によると、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルも、比較的小さい地理的エリア（たとえば、自宅）をカバーし得、フェムトセルとの関連付けを有するＵＥ（たとえば、限定加入者グループ（ＣＳＧ：closed subscriber group）の中のＵＥ、自宅の中のユーザ向けのＵＥなど）による制限付きアクセスを提供し得る。マクロセル用のｅＮＢは、マクロｅＮＢと呼ばれることがある。スモールセル用のｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。
【００３２】
[0042]ワイヤレス通信システム１００は、同期動作または非同期動作をサポートしてもよい。同期動作の場合、基地局は同様のフレームタイミングを有し得、異なる基地局からの送信は時間的にほぼ整合され得る。非同期動作の場合、基地局は、異なるフレームタイミングを有し得、異なる基地局からの送信は、時間的に整合されない場合がある。本明細書で説明する技法は、同期動作または非同期動作のいずれかのために使われ得る。
【００３３】
[0043]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤが、論理チャネルを介して通信するためにパケットセグメンテーションおよびリアセンブリを実施し得る。媒体アクセス制御（ＭＡＣ）レイヤが、優先度処理と、トランスポートチャネルへの論理チャネルの多重化とを実施し得る。ＭＡＣレイヤはまた、ＭＡＣレイヤにおける再送信を行ってリンク効率を改善するために、ハイブリッドＡＲＱ（ＨＡＲＱ）を使用し得る。制御プレーンでは、無線リソース制御（ＲＲＣ）プロトコルレイヤは、ユーザプレーンデータのために無線ベアラをサポートする、ＵＥ１１５と基地局１０５またはコアネットワーク１３０との間のＲＲＣ接続の確立と、構成と、保守とを行い得る。物理（ＰＨＹ）レイヤにおいて、トランスポートチャネルは、物理チャネルにマッピングされ得る。
【００３４】
[0044]ＵＥ１１５は、ワイヤレス通信システム１００全体にわたって分散されてよく、各ＵＥ１１５は、固定式または移動式であってよい。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含み得るか、あるいは当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３５】
[0045]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。いくつかの例では、ＵＬ送信はアップリンク制御情報の送信を含み得、アップリンク制御情報はアップリンク制御チャネル（たとえば、物理アップリンク制御チャネル（ＰＵＣＣＨ：physical uplink control channel）または拡張ＰＵＣＣＨ（ｅＰＵＣＣＨ））を介して送信され得る。アップリンク制御情報は、たとえば、ダウンリンク送信の肯定応答もしくは否定応答、またはチャネル状態情報を含み得る。アップリンク送信はデータの送信をも含み得、データは、物理アップリンク共有チャネル（ＰＵＳＣＨ）または拡張ＰＵＳＣＨ（ｅＰＵＳＣＨ）を介して送信され得る。また、アップリンク送信は、サウンディング基準信号（ＳＲＳ：sounding reference signal）または拡張ＳＲＳ（ｅＳＲＳ）、（たとえば、デュアル接続性モード、または図２Ａおよび図２Ｂを参照しながら説明されるスタンドアロンモードでの）物理ランダムアクセスチャネル（ＰＲＡＣＨ：physical random access channel）または拡張ＰＲＡＣＨ（ｅＰＲＡＣＨ）、あるいは（たとえば、図２Ａおよび図２Ｂを参照しながら説明されるスタンドアロンモードでの）スケジューリング要求（ＳＲ：scheduling request）または拡張ＳＲ（ｅＳＲ）の送信を含み得る。ＰＵＣＣＨ、ＰＵＳＣＨ、ＰＲＡＣＨ、ＳＲＳ、またはＳＲへの本開示における言及は、それぞれのｅＰＵＣＣＨ、ｅＰＵＳＣＨ、ｅＰＲＡＣＨ、ｅＳＲＳ、またはｅＳＲへの言及を本質的に含むと推定される。
【００３６】
[0046]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作用のフレーム構造（たとえば、フレーム構造タイプ１）およびＴＤＤ動作用のフレーム構造（たとえば、フレーム構造タイプ２）が定義され得る。
【００３７】
[0047]ワイヤレス通信システム１００のいくつかの態様では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３８】
[0048]ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書で互換的に使用され得る。ＵＥ１１５は、キャリアアグリゲーションのために、複数のダウンリンクＣＣおよび１つまたは複数のアップリンクＣＣを用いて構成され得る。キャリアアグリゲーションは、ＦＤＤコンポーネントキャリアとＴＤＤコンポーネントキャリアの両方を用いて使用され得る。
【００３９】
[0049]ワイヤレス通信システム１００は、同じくまたは代替的に、非競合認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または競合ベースの共有無線周波数スペクトル帯域（たとえば、無線周波数スペクトル帯域が、ＷｉＦｉ使用など、無認可使用のために利用可能であるので、送信装置がそれのためにアクセスを求めて競合する必要があり得る、無認可無線周波数スペクトル帯域）上での動作をサポートし得る。競合ベースの共有無線周波数スペクトル帯域へのアクセスの争いに勝つと、送信装置（たとえば、基地局１０５またはＵＥ１１５）は、無認可無線周波数スペクトル帯域上で１つまたは複数のチャネル予約信号（たとえば、１つまたは複数のＣＵＢＳ）を送信し得る。チャネル予約信号は、検出可能なエネルギーを無認可無線周波数スペクトル帯域上に供給することによって、無認可無線周波数スペクトルを予約するように働き得る。チャネル予約信号はまた、送信装置および／または送信アンテナを識別するように働き、あるいは送信装置と受信装置とを同期させるように働き得る。いくつかの例では、チャネル予約信号送信は、シンボル期間境界（たとえば、ＯＦＤＭシンボル期間境界）において開始し得る。他の例では、ＣＵＢＳ送信はシンボル期間境界の間に開始し得る。
【００４０】
[0050]図１に示されている構成要素の数および構成は、一例として与えられている。実際には、ワイヤレス通信システム１００は、図１に示されているもの以外に、追加のデバイス、より少数のデバイス、異なるデバイス、または別様に構成されたデバイスを含み得る。追加または代替として、ワイヤレス通信システム１００のデバイスのセット（たとえば、１つまたは複数のデバイス）は、ワイヤレス通信システム１００のデバイスの別のセットによって実行されるものとして説明される１つまたは複数の機能を実行し得る。
【００４１】
[0051]次に図２Ａを参照すると、図２００は、補足ダウンリンクモード（たとえば、ライセンス補助アクセス（ＬＡＡ）モード）の例と、競合ベースの共有スペクトルに拡張されたＬＴＥ／ＬＴＥ−ＡをサポートするＬＴＥネットワークのためのキャリアアグリゲーションモードの例とを示している。図２００は、図１のシステム１００の部分の一例とすることができる。その上、基地局１０５−ａは図１の基地局１０５の一例であり得、ＵＥ１１５−ａは図１のＵＥ１１５の例であり得る。
【００４２】
[0052]図２００中の補足ダウンリンクモード（たとえば、ＬＡＡモード）の例では、基地局１０５−ａは、ダウンリンク２０５を使用してＵＥ１１５−ａにＯＦＤＭＡ通信信号を送信し得る。ダウンリンク２０５は無認可スペクトル中の周波数Ｆ１に関連付けられる。基地局１０５−ａは、ＯＦＤＭＡ通信信号を同じＵＥ１１５−ａに双方向リンク２１０を使用して送信し得、ＳＣ−ＦＤＭＡ通信信号をそのＵＥ１１５−ａから双方向リンク２１０を使用して受信し得る。双方向リンク２１０は認可スペクトル中の周波数Ｆ４に関連付けられる。無認可スペクトル中のダウンリンク２０５および認可スペクトル中の双方向リンク２１０は、コンカレントに動作し得る。ダウンリンク２０５は、基地局１０５−ａに対してダウンリンク容量オフロードを提供し得る。いくつかの実施形態では、ダウンリンク２０５は、ユニキャストサービス（たとえば、１つのＵＥにアドレス指定される）サービスまたはマルチキャストサービス（たとえば、いくつかのＵＥにアドレス指定される）に使用され得る。このシナリオは、認可スペクトルを使用しトラフィックおよび／またはシグナリングの混雑のうちの一部を緩和する必要がある、任意のサービスプロバイダ（たとえば、従来のモバイルネットワークオペレータすなわちＭＮＯ）に対して生じ得る。
【００４３】
[0053]図２００におけるキャリアアグリゲーションモードの１つの例では、基地局１０５−ａは、ＯＦＤＭＡ通信信号をＵＥ１１５−ａへ双方向リンク２１５を使用して送信し得、ＳＣ−ＦＤＭＡ通信信号を同じＵＥ１１５−ａから双方向リンク２１５を使用して受信し得る。双方向リンク２１５は無認可スペクトル中の周波数Ｆ１に関連付けられる。基地局１０５−ａはまた、双方向リンク２２０を使用して同じＵＥ１１５−ａにＯＦＤＭＡ通信信号を送信し得、双方向リンク２２０を使用して同じＵＥ１１５−ａからＳＣ−ＦＤＭＡ通信信号を受信し得る。双方向リンク２２０は認可スペクトル中の周波数Ｆ２に関連付けられる。双方向リンク２１５は、基地局１０５−ａに対してダウンリンクおよびアップリンクの容量オフロードを提供し得る。上記で説明した補助ダウンリンク（たとえば、ＬＡＡモード）のように、このシナリオは、認可スペクトルを使用しトラフィックおよび／またはシグナリングの混雑のうちの一部を緩和する必要がある、任意のサービスプロバイダ（たとえば、ＭＮＯ）に対して生じる場合がある。
【００４４】
[0054]図２００中のキャリアアグリゲーションモードの別の例では、基地局１０５−ａは、双方向リンク２２５を使用してＵＥ１１５−ａにＯＦＤＭＡ通信信号を送信し得、双方向リンク２２５を使用して同じＵＥ１１５−ａからＳＣ−ＦＤＭＡ通信信号を受信し得る。双方向リンク２２５は無認可スペクトル中の周波数Ｆ３に関連付けられる。基地局１０５−ａはまた、双方向リンク２３０を使用して同じＵＥ１１５−ａにＯＦＤＭＡ通信信号を送信し得、双方向リンク２３０を使用して同じＵＥ１１５−ａからＳＣ−ＦＤＭＡ通信信号を受信し得る。双方向リンク２３０は認可スペクトル中の周波数Ｆ２に関連付けられる。双方向リンク２２５は、基地局１０５−ａに対してダウンリンクおよびアップリンクの容量オフロードを提供し得る。本例および上記で提供された例は、例示を目的として提示されており、容量オフロードのために競合ベースの共有スペクトルを用いるＬＴＥ／ＬＴＥ−Ａと用いないＬＴＥ／ＬＴＥ−Ａとを組み合わせる他の同様のモードの動作または展開のシナリオがあり得る。
【００４５】
[0055]上記で説明されたように、競合ベースのスペクトルに拡張されたＬＴＥ／ＬＴＥ−Ａを使用することによって提供される容量オフロードから恩恵を受け得る一般的なサービスプロバイダは、ＬＴＥスペクトルを用いる旧来のＭＮＯである。これらのサービスプロバイダの場合、動作構成は、非競合スペクトル上のＬＴＥ１次コンポーネントキャリア（ＰＣＣ）と競合ベースのスペクトル上のＬＴＥ２次コンポーネントキャリア（ＳＣＣ）とを使用するブートストラップモード（たとえば、補足ダウンリンク（たとえば、ＬＡＡモード）、キャリアアグリゲーション）を含み得る。
【００４６】
[0056]補助ダウンリンクモードにおいて、競合ベースのスペクトルに拡張されたＬＴＥ／ＬＴＥ−Ａに対する制御は、ＬＴＥアップリンク（たとえば、双方向リンク２１０のアップリンク部）を介して移送され得る。ダウンリンク容量オフロードを提供する理由の１つは、ダウンリンク消費によってデータ需要が大幅に高められるからである。その上、このモードでは、ＵＥは無認可スペクトルの中で送信しないので、規制影響（regulatory impact）がない場合がある。ＵＥ上でリッスンビフォアトーク（ＬＢＴ：listen-before-talk）またはキャリアセンス多重接続（ＣＳＭＡ：carrier sense multiple access）要件を実施する必要はない。しかしながら、ＬＢＴは、たとえば、周期的（たとえば、１０ミリ秒ごと）なクリアチャネルアセスメント（ＣＣＡ）および／または無線フレーム境界に揃えられたｇｒａｂ−ａｎｄ−ｒｅｌｉｎｑｕｉｓｈメカニズムを使用することによって、基地局（たとえば、ｅＮＢ）上で実施され得る。
【００４７】
[0057]キャリアアグリゲーションモードでは、ＬＴＥ（たとえば、双方向リンク２１０、２２０、および２３０）においてデータおよび制御が通信され得、一方で、競合ベースの共有スペクトルに拡張されたＬＴＥ／ＬＴＥ−Ａ（たとえば、双方向リンク２１５および２２５）においてデータが通信され得る。競合ベースの共有スペクトルに拡張されたＬＴＥ／ＬＴＥ−Ａを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに該当し得る。
【００４８】
[0058]図２Ｂは、競合ベースの共有スペクトルに拡張されたＬＴＥ／ＬＴＥ−Ａに対するスタンドアロンモードの一例を示す図２００−ａを示す。図２００−ａは図１のシステム１００の部分の一例であり得る。その上、基地局１０５−ｂは、図１の基地局１０５および図２Ａの基地局１０５−ａの一例であり得、一方、ＵＥ１１５−ｂは、図１のＵＥ１１５および図２ＡのＵＥ１１５−ａの一例であり得る。
【００４９】
[0059]図２００−ａにおけるスタンドアロンモードの一例では、基地局１０５−ｂは、ＯＦＤＭＡ通信信号をＵＥ１１５−ｂへ双方向リンク２４０を使用して送信し得、ＳＣ−ＦＤＭＡ通信信号をＵＥ１１５−ｂから双方向リンク２４０を使用して受信し得る。双方向リンク２４０は、図２Ａに関して上記で説明された競合ベースの共有スペクトル中の周波数Ｆ３に関連付けられる。スタンドアロンモードは、スタジアム内アクセス（たとえば、ユニキャスト、マルチキャスト）などの、非従来型のワイヤレスアクセスシナリオにおいて使用され得る。この動作モードの典型的なサービスプロバイダの一例は、競技場の所有者、ケーブルテレビ会社、イベント主催者、ホテル、企業、および免許帯域を有しない大企業であり得る。これらのサービスプロバイダの場合、スタンドアロンモードのための動作構成は競合ベースのスペクトル上のＰＣＣを使用し得る。その上、ＬＢＴは、基地局とＵＥの両方で実施され得る。
【００５０】
[0060]いくつかの例では、図１、図２Ａもしくは図２Ｂを参照しながら説明された基地局１０５、もしくは１０５−ａのうちの１つ、または図１、図２Ａもしくは図２Ｂを参照しながら説明されたＵＥ１１５、１１５−ａ、もしくは１１５−ｂのうちの１つのような送信装置は、競合ベースの共有無線周波数スペクトル帯域のチャネルへの（たとえば、無認可無線周波数スペクトル帯域の物理チャネルへの）アクセスを得るためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期し得る。ゲーティング間隔は、欧州電気通信標準化機構（ＥＴＳＩ：European Telecommunications Standards Institute）（ＥＮ３０１  ８９３）において指定されているＬＢＴプロトコルに少なくとも部分的に基づくＬＢＴプロトコルなど、競合ベースプロトコルの適用を定義し得る。ＬＢＴプロトコルの適用を定義するゲーティング間隔を使用するとき、ゲーティング間隔は、送信装置がクリアチャネルアセスメント（ＣＣＡ）手順などの競合手順（たとえば、ＬＢＴ手順）をいつ実行する必要があるかを示し得る。ＣＣＡ手順の結果は、競合ベースの共有無線周波数スペクトル帯域のチャネルが（ＬＢＴ無線フレームとも呼ばれる）ゲーティング間隔のために利用可能であるか使用中であるかを送信装置に示し得る。チャネルが、対応するＬＢＴ無線フレームに利用可能である（たとえば、使用のために「空いている」）ことをＣＣＡ手順が示すとき、送信装置は、ＬＢＴ無線フレームの一部または全部の間に競合ベースの共有無線周波数スペクトル帯域のチャネルを予約または使用し得る。チャネルが利用可能ではないこと（たとえば、チャネルが別の送信装置によって使用中であるか、または予約されていること）をＣＣＡ手順が示すとき、送信装置は、ＬＢＴ無線フレームの間にチャネルを使用することを妨げられ得る。
【００５１】
[0061]図２Ａおよび図２Ｂに示されているコンポーネントの数および配置は、例として与えられている。実際には、ワイヤレス通信システム２００は、追加のデバイス、より少数のデバイス、異なるデバイス、または図２Ａおよび図２Ｂに示されているものとは異なるように配置されたデバイスを含み得る。
【００５２】
[0062]図３は、本開示の様々な態様による、無認可無線周波数スペクトル帯域を介したワイヤレス通信３１０の例３００の一例である。いくつかの例では、ＬＢＴ無線フレーム３１５は、１０ミリ秒の持続時間を有し得、いくつかのダウンリンク（Ｄ）サブフレーム３２０、いくつかのアップリンク（Ｕ）サブフレーム３２５、ならびに２つのタイプの特殊サブフレーム、すなわち、Ｓサブフレーム３３０、およびＳ’サブフレーム３３５を含み得る。Ｓサブフレーム３３０は、ダウンリンクサブフレーム３２０とアップリンクサブフレーム３２５との間の遷移をもたらし得、Ｓ’サブフレーム３３５は、アップリンクサブフレーム３２５とダウンリンクサブフレーム３２０との間の遷移と、いくつかの例では、ＬＢＴ無線フレーム間の遷移とをもたらし得る。
【００５３】
[0063]Ｓ’サブフレーム３３５の間に、図１または図２を参照しながら説明された基地局１０５、２０５、または２０５−ａのうちの１つまたは複数のような、１つまたは複数の基地局によって、ワイヤレス通信３１０が生じる競合ベースの共有無線周波数スペクトル帯域のチャネルをある時間期間の間予約するために、正常なダウンリンククリアチャネルアセスメント（ＣＣＡ）手順３４５が実行され得る。基地局によるダウンリンクＣＣＡ手順３４５の成功の後、基地局は、基地局がチャネルを予約したというインジケーションを他の基地局または装置（たとえば、ＵＥ、ＷｉＦｉアクセスポイントなど）に提供するために、チャネル使用ビーコン信号（ＣＵＢＳ）（たとえば、ダウンリンクＣＵＢＳ（Ｄ−ＣＵＢＳ３５０））などのプリアンブルを送信し得る。いくつかの例では、Ｄ−ＣＵＢＳ３５０は、インターリーブされた複数のリソースブロックを使用して送信され得る。この方式でＤ−ＣＵＢＳ３５０を送信することは、Ｄ−ＣＵＢＳ３５０が、競合ベースの共有無線周波数スペクトル帯域の利用可能な周波数帯域幅の少なくともある割合を占有し、１つまたは複数の規制上の要件（たとえば、無認可無線周波数スペクトル帯域を通じた送信が利用可能な周波数帯域幅の少なくとも８０％を占有するという要件）を満たすことを可能にし得る。Ｄ−ＣＵＢＳ３５０は、いくつかの例では、ＬＴＥ／ＬＴＥ−Ａセル固有基準信号（ＣＲＳ）またはチャネル状態情報基準信号（ＣＳＩ−ＲＳ）の形態と同様の形態をとり得る。ダウンリンクＣＣＡ手順３４５が失敗すると、Ｄ−ＣＵＢＳ３５０が送信されないことがある。
【００５４】
[0064]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間３４０として、いくつかのＵＥによって使用され得る。Ｓ’サブフレーム３３５の第２の部分は、ダウンリンクＣＣＡ手順３４５のために使われ得る。Ｓ’サブフレーム３３５の第３の部分は、Ｄ−ＣＵＢＳ３５０を送信するために競合ベースの共有無線周波数スペクトル帯域のチャネルへのアクセスに対する競合に成功した１つまたは複数の基地局によって使用され得る。
【００５５】
[0065]Ｓサブフレーム３３０中に、アップリンクＣＣＡ手順３６５が、ある時間期間の間、ワイヤレス通信３１０が発生するチャネルを予約するために、図１、図２Ａまたは図２Ｂを参照しながら上記で説明したＵＥ１１５、２１５、２１５−ａ、２１５−ｂ、または２１５−ｃのうちの１つまたは複数など、１つまたは複数のＵＥによって実行され得る。ＵＥによる正常なアップリンクＣＣＡ手順３６５の後、ＵＥは、ＵＥがチャネルを予約したというインジケーションを他のＵＥまたは装置（たとえば、基地局、ＷｉＦｉアクセスポイントなど）に提供するために、アップリンクＣＵＢＳ（Ｕ−ＣＵＢＳ３７０）などのプリアンブルを送信し得る。いくつかの例では、Ｕ−ＣＵＢＳ３７０は、インターリーブされた複数のリソースブロックを使用して送信され得る。この方式でＵ−ＣＵＢＳ３７０を送信することは、Ｕ−ＣＵＢＳ３７０が、競合ベースの無線周波数スペクトル帯域の利用可能な周波数帯域幅の少なくともある割合を占有し、１つまたは複数の規制上の要件（たとえば、競合ベースの無線周波数スペクトル帯域を通じた送信が利用可能な周波数帯域幅の少なくとも８０％を占有するという要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。アップリンクＣＣＡ手順３６５が失敗すると、Ｕ−ＣＵＢＳ３７０が送信されないことがある。
【００５６】
[0066]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５としていくつかの基地局によって使用され得る。Ｓサブフレーム３３０の第２の部分は、ガード期間（ＧＰ）３６０として使用され得る。Ｓサブフレーム３３０の第３の部分は、アップリンクＣＣＡ手順３６５のために使用され得る。Ｓサブフレーム３３０の第４の部分は、アップリンクパイロットタイムスロット（ＵｐＰＴＳ）としてまたはＵ−ＣＵＢＳ３７０を送信するために競合ベースの無線周波数スペクトル帯域のチャネルへのアクセスに対する競合に成功した１つまたは複数のＵＥによって使用され得る。
【００５７】
[0067]いくつかの例では、ダウンリンクＣＣＡ手順３４５またはアップリンクＣＣＡ手順３６５は、単一のＣＣＡ手順の実行を含み得る。他の例では、ダウンリンクＣＣＡ手順３４５またはアップリンクＣＣＡ手順３６５は、拡張されたＣＣＡ手順の実行を含み得る。拡張ＣＣＡ手順は、ランダムな数のＣＣＡ手順を含み得、いくつかの例では、複数のＣＣＡ手順を含み得る。
【００５８】
[0068]上で示されたように、図３は例として提供される。他の例が可能であり、他の例は図３に関連して説明されたものとは異なることがある。
【００５９】
[0069]図４は、本開示の様々な態様による、競合ベースの共有無線周波数スペクトル帯域にアクセスするために競合するとき、送信装置によって実行されるＣＣＡ手順４１５の一例４００の図である。いくつかの例では、ＣＣＡ手順４１５は、図３を参照しながら説明したダウンリンクＣＣＡ手順３４５またはアップリンクＣＣＡ手順３６５の一例であり得る。ＣＣＡ手順４１５は固定持続時間を有し得る。いくつかの例では、ＣＣＡ手順４１５は、ＬＢＴフレームベース機器（ＬＢＴ−ＦＢＥ）プロトコル（たとえば、ＥＮ３０１  ８９３によって説明されるＬＢＴ−ＦＢＥプロトコル）に従って実行され得る。ＣＣＡ手順４１５に続いて、ＣＵＢＳ４２０などのチャネル予約信号が送信され得、データ送信（たとえば、アップリンク送信またはダウンリンク送信）が後続し得る。例として、データ送信は、３つのサブフレームの意図された持続時間４０５と、３つのサブフレームの実際の持続時間４１０とを有し得る。
【００６０】
[0070]上で示されたように、図４は例として提供される。他の例が可能であり、他の例は図４に関連して説明されたものとは異なることがある。
【００６１】
[0071]図５は、本開示の様々な態様による、競合ベースの共有無線周波数スペクトル帯域にアクセスするために競合するとき、送信装置によって実行される拡張ＣＣＡ（ＥＣＣＡ）手順５１５の一例５００の図である。いくつかの例では、ＥＣＣＡ手順５１５は、図３を参照しながら説明したダウンリンクＣＣＡ手順３４５またはアップリンクＣＣＡ手順３６５の一例であり得る。ＥＣＣＡ手順５１５は、ランダムな数のＣＣＡ手順を含み得、いくつかの例では、複数のＣＣＡ手順を含み得る。したがって、ＥＣＣＡ手順５１５は、可変の持続時間を有し得る。いくつかの例では、ＥＣＣＡ手順５１５は、ＬＢＴ負荷ベース機器（ＬＢＴ−ＬＢＥ）プロトコル（たとえば、ＥＮ３０１  ８９３によって説明されるＬＢＴ−ＬＢＥプロトコル）に従って実行され得る。ＥＣＣＡ手順５１５は、競合ベースの共有無線周波数スペクトル帯域にアクセスするための競合に勝つことのより高い可能性をもたらし得るが、より短いデータ伝送の潜在的なコストをもたらし得る。ＥＣＣＡ手順５１５に続いて、ＣＵＢＳ５２０など、チャネル予約信号が送信され、その後にデータ送信が続き得る。例として、データ送信は、３つのサブフレームの意図された持続時間５０５と、２つのサブフレームの実際の持続時間５１０とを有し得る。
【００６２】
[0072]上で示されたように、図５は例として提供される。他の例が可能であり、他の例は図５に関連して説明されたものとは異なることがある。
【００６３】
[0073]図６は、図１の基地局／ｅＮＢのうちの１つであり得る基地局／ｅＮＢ１０５および図１のＵＥのうちの１つであり得るＵＥ１１５の設計のブロック図を示す。ｅＮＢ１０５はアンテナ６３４ａ〜６３４ｔを装備し得、ＵＥ１１５はアンテナ６５２ａ〜６５２ｒを装備し得る。ｅＮＢ１０５において、送信プロセッサ６２０は、データソース６１２からデータを受信し、コントローラ／プロセッサ６４０から制御情報を受信することができる。制御情報は、物理ブロードキャストチャネル（ＰＢＣＨ：physical broadcast channel）、物理制御フォーマット指示チャネル（ＰＣＦＩＣＨ：physical control format indicator channel）、物理ハイブリッド自動再送要求指示チャネル（ＰＨＩＣＨ：physical hybrid automatic repeat request indicator channel）、物理ダウンリンク制御チャネル（ＰＤＣＣＨ：physical downlink control channel）などに対するものであり得る。データは、物理ダウンリンク共有チャネル（ＰＤＳＣＨ：physical downlink shared channel）などのためのものであり得る。送信プロセッサ６２０は、データシンボルと制御シンボルとを取得するために、それぞれデータと制御情報とを処理（たとえば、符号化およびシンボルマッピング）し得る。送信プロセッサ６２０はまた、たとえば、１次同期信号（ＰＳＳ）、２次同期信号（ＳＳＳ）、およびセル固有基準信号のための基準シンボルを生成し得る。送信（ＴＸ）多入力多出力（ＭＩＭＯ）プロセッサ６３０は、適用可能な場合、データシンボル、制御シンボル、および／または基準シンボルに対して空間処理（たとえば、プリコーディング）を実施し得、出力シンボルストリームを変調器（ＭＯＤ）６３２ａ〜６３２ｔに与え得る。各変調器６３２は、（たとえば、ＯＦＤＭなどのための）それぞれの出力シンボルストリームを処理して、出力サンプルストリームを取得し得る。各変調器６３２はさらに、ダウンリンク信号を取得するために、出力サンプルストリームを処理（たとえば、アナログへの変換、増幅、フィルタ処理、およびアップコンバート）し得る。変調器６３２ａ〜６３２ｔからのダウンリンク信号は、それぞれアンテナ６３４ａ〜６３４ｔを介して送信され得る。
【００６４】
[0074]ＵＥ１１５において、アンテナ６５２ａ〜６５２ｒは、ｅＮＢ１０５からダウンリンク信号を受信し得、受信信号をそれぞれ復調器（ＤＥＭＯＤ）６５４ａ〜６５４ｒに与え得る。各復調器６５４は、それぞれの受信信号を調整（たとえば、フィルタ処理、増幅、ダウンコンバート、およびデジタル化）して、入力サンプルを取得し得る。各復調器６５４は、（たとえば、ＯＦＤＭなどのために）入力サンプルをさらに処理して、受信シンボルを取得し得る。ＭＩＭＯ検出器６５６は、すべての復調器６５４ａ〜６５４ｒから受信シンボルを取得し、適用可能な場合は受信シンボルに対してＭＩＭＯ検出を実行し、検出シンボルを与え得る。受信プロセッサ６５８は、検出シンボルを処理（たとえば、復調、デインターリーブ、および復号）し、ＵＥ１１５のための復号されたデータをデータシンク６６０に与え、復号された制御情報をコントローラ／プロセッサ６８０に与え得る。
【００６５】
[0075]アップリンク上では、ＵＥ１１５において、送信プロセッサ６６４が、データソース６６２から（たとえば、物理アップリンク共有チャネル（ＰＵＳＣＨ：physical uplink shared channel）のための）データを受信し、処理し得、コントローラ／プロセッサ６８０から（たとえば、物理アップリンク制御チャネル（ＰＵＣＣＨ：physical uplink control channel）のための）制御情報を受信し、処理し得る。送信プロセッサ６６４はまた、基準信号のための基準シンボルを生成し得る。送信プロセッサ６６４からのシンボルは、適用可能な場合はＴＸ  ＭＩＭＯプロセッサ６６６によってプリコードされ、さらに（たとえば、ＳＣ−ＦＤＭなどのために）復調器６５４ａ〜６５４ｒによって処理され、ｅＮＢ１０５に送信され得る。ｅＮＢ１０５において、ＵＥ１１５からのアップリンク信号は、アンテナ６３４によって受信され、変調器６３２によって処理され、適用可能な場合はＭＩＭＯ検出器６３６によって検出され、さらに受信プロセッサ６３８によって処理されて、ＵＥ１１５によって送られた復号されたデータおよび制御情報が取得され得る。プロセッサ６３８は、復号されたデータをデータシンク６４６に与え、復号された制御情報をコントローラ／プロセッサ６４０に与え得る。
【００６６】
[0076]コントローラ／プロセッサ６４０および６８０は、それぞれｅＮＢ１０５における動作およびＵＥ１１５における動作を指示し得る。ｅＮＢ１０５におけるコントローラ／プロセッサ６４０および／または他のプロセッサおよびモジュールは、本明細書で説明する技法のための様々なプロセスを実行するか、またはその実行を指示し得る。ＵＥ１１５におけるコントローラ／プロセッサ６８０ならびに／または他のプロセッサおよびモジュールはまた、図８および図１０に示されている機能ブロック、および／または本明細書で説明する技法のための他のプロセスを実行するか、またはその実行を指示し得る。メモリ６４２および６８２は、それぞれ、ｅＮＢ１０５およびＵＥ１１５のためのデータおよびプログラムコードを記憶し得る。スケジューラ６４４は、ダウンリンクおよび／またはアップリンク上でのデータ送信のためにＵＥをスケジューリングし得る。
【００６７】
[0077]ＵＥなどのデバイスは、信号の受信および／または送信に使用するために複数のアンテナ（Ｎ）を有し得る。デバイスは、ＬＴＥ、ＷｉＦｉなどの特定の無線アクセス技術（ＲＡＴ）のため、特定のキャリア周波数のため、またはその両方のために使用するために、アンテナの使用と割当てとを分割する場合がある。たとえば、デバイスは、ＣＡの場合に１つのキャリアに対して固定数のアンテナを使用してよく、またはデバイスがＷｉＦｉとＬＴＥなどの他の技術の両方をサポートするときにＷｉＦｉに対して固定数のアンテナを使用してもよい。一例では、ＵＥは４つのアンテナを有し、ＷｉＦｉ通信のためにアンテナのうちの２つを割り当て、ＬＴＥ通信のために２つのアンテナを割り当ててもよい。また、ＵＥなどのデバイスは、１つの技術または１つのキャリアのためのアンテナの数を動的にまたは半静的に選択してもよい（アンテナ選択）。そのような動的なまたは半静的な方式では、共有または選択は、チャネル品質インジケータ（ＣＱＩ）、基準信号受信電力（ＲＳＲＰ）など、特定の測定結果によってトリガされ得る。
【００６８】
[0078]ＬＴＥなどの通信ネットワークは、周波数分割多重化（ＦＤＭ）実装形態および時分割多重化（ＴＤＭ）実装形態を有し得る。ＦＤＭ実装形態における共有オプションは、異なるアンテナを実際に共有しているのではなく、アンテナを介して受信された周波数スペクトルを共有するのである。たとえば、ＵＥは、異なるエアインターフェースに対してすべてのアンテナを同時に使用するためにダイプレクサ／スイッチを使用し得る。ダイプレクサ／スイッチは、不要な周波数をフィルタリングで除去することによってフィルタとして働く。しかしながら、そのようなＦＤＭ共有方式では、一般的に、信号がフィルタリングされるときに信号強度においてかなりの損失が存在する。また、そのような損失は、周波数帯域が高くなるにつれて増加する。ＴＤＭ実装形態は、実際には、各エアインターフェース／技術に対して別個のアンテナを使用するかまたは割り当てることができる。したがって、そのようなエアインターフェース／技術を介する通信が使用されないとき、使用されない通信に対して割り当てられたかまたは指定されたそのようなアンテナが、他のエアインターフェース／技術と共有され得る。本開示の様々な態様は、ＴＤＭ実装形態を使用する通信システムを対象とする。
【００６９】
[0079]ＵＥおよび基地局は、無線周波数特性の物理層測定を定期的に行う。これらの測定は、ハンドオーバ、電力調整、スケジュール送信などを行うのかを決定するために、測定を行うデバイスにより使用され得る。たとえば、基準信号受信電力（ＲＳＲＰ）は、とりわけ隣接するセルをランク付けする際にＵＥにより使用され得、一方基準信号受信品質（ＲＳＲＱ：reference signal receive quality）は、とりわけハンドオーバまたはセル再選択のため隣接するセルのどれを選択するのかを決定する際にＵＥにより使用され得る。測定値は、他のデバイスへのフィードバックの一部としても使用され得る。たとえば、ＵＥは、チャネル品質インジケータ（ＣＱＩ）報告のため、適切なＣＱＩを選択するために、１つのタイプの信号対雑音比を測定し得、それは、適切な変調およびコーディング方式（ＭＣＳ：modulation and coding scheme）をスケジュールするとき、基地局がそれを考慮することになる。ＵＥにより行われるこれらの測定値の多くが、基地局から送信される基準信号の測定値である。ＵＥがＲＳＲＰ測定を実施する信号は、共通基準信号（ＣＲＳ）、拡張共通基準信号（ｅＣＲＳ：extended common reference signal）、チャネル状態インジケータ基準信号（ＣＳＩ−ＲＳ）などであってよい。
【００７０】
[0080]図７は、競合ベースのスペクトル上の送信ストリーム７０および７１を示すブロック図である。送信ストリーム７０および７１は、サブフレーム構造、および競合ベースのスペクトル上の通信を反映する。送信ストリーム７０では、リッスンビフォアトーク（ＬＢＴ）ウィンドウ７０１と一致する無線フレームＮ  ７００は、サブフレーム０で開始し、サブフレーム９で終了する。図示されるように、最初の３つのサブフレームの期間には、失敗した拡張クリアチャネルアセスメント（ＥＣＣＡ）のために、送信は発生しない。仮想フレーム７０２は、サブフレーム２の終わりの、正常なＣＣＡおよびＣＵＢＳ送信後に開始する。したがって、送信は、仮想フレーム７０２中の第１のサブフレームとして、サブフレーム３中のＬＢＴ７０４で開始し得る。送信ストリーム７１では、仮想フレーム７０８は、サブフレーム３で開始し、拡張ＳＩＢ１（ｅＳＩＢ１：enhanced SIB1）ウィンドウ７０７と一致する無線フレームＮ＋８  ７０６中のサブフレーム２の終わりで終了する。
【００７１】
[0081]競合ベースのスペクトルを含むＬＴＥ／ＬＴＥ−Ａシステムでは、ｅＣＲＳは、周期的な境界（たとえば、４０ｍｓ、８０ｍｓ、１６０ｍｓなど）における保証送信を含み得る発見基準信号（ＤＲＳ：discovery reference signal）中で送信され得る。ｅＣＲＳは、サブフレーム０の期間に、基地局がそのサブフレーム中で送信する場合に、日和見的にも送信され得、仮想ＬＢＴフレームの第１のサブフレームの期間にも送信され得る。したがって、送信ストリーム７０および７１では、ｅＣＲＳは、ＤＳおよびｅＳＩＢ１の送信７０３とともに、ＬＢＴ７０４と一緒に、仮想フレーム７０２後の仮想フレームの第１のサブフレームのｅＣＲＳ７０５において、仮想フレーム７０８の第１のサブフレームのｅＣＲＳ７０９において、無線フレームＮ＋８  ７０６のサブフレーム０におけるＤＲＳおよびｅＳＩＢ１の送信７１０とともに、およびＬＢＴ７１１において、送信され得る。しかし、基準信号の送信は競合ベースのスペクトル上で常に保証されるわけではないので、その基準信号上で実施され得る任意の測定値は保証されない。
【００７２】
[0082]競合ベースのスペクトルを含むＬＴＥ／ＬＴＥ−Ａネットワークの特性を考慮すると、測定値ベースの信号が送信されることさえ保証がなく、送信されるときでさえ、信号がバースト性の送信により影響され得るので、任意の測定ベースの信号（たとえば、ｅＣＲＳ、ＣＲＳ、ＣＳＩ−ＲＳなど）の品質は保証され得ない。そのような測定信号の不確実性に起因して、不確実な測定信号についての、ＵＥにより実施される任意の測定についてのこの不確実性についてのさらなる情報を、どのようにして提供するのかについて、考慮が行われるべきである。
【００７３】
[0083]本開示の様々な態様は、競合ベースのスペクトルを含むＬＴＥ／ＬＴＥ−Ａネットワークの一部として送信される測定信号の報告および測定値のための、実装オプションを可能にする。１つの特定の例では、測定信号は、ｅＣＲＳであってよく、実施および報告するべき測定は、ＲＳＲＰである。ＵＥがｅＣＲＳに基づいてＲＳＲＰを実施するが、ｅＣＲＳが送信されない、または大量の干渉を受ける、のいずれかである場合、測定値は著しく雑音が多くなり得、長期間の経路損失を捕捉できない可能性がある。一態様によれば、この問題を避けるために、本開示の一態様に従って構成されるＵＥは、ｅＣＲＳに関連する雑音（たとえば、信号対雑音比（ＳＮＲ）、信号対干渉および雑音比（ＳＩＮＲ）、信号対干渉比（ＳＩＲ）など）を推定し、次いで有効なＲＳＲＰ測定値の候補として、しきい値を超えているｅＣＲＳに基づいて測定されたＲＳＲＰだけを取ることにより、ｅＣＲＳしきい値処理を実施する。
【００７４】
[0084]図８は、本開示の一態様を実装するために実行される例示的なブロックを示すブロック図である。ブロック８００において、ＵＥは、競合ベースの周波数スペクトル上の基準信号を受信する。たとえば、競合ベースのアクセスでの無認可共有スペクトルにおいて、ＵＥが、ｅＣＲＳ、ＣＲＳ、ＣＳＩ−ＲＳなどの基準信号を受信する。
【００７５】
[0085]ブロック８０１において、ＵＥは、基準信号に基づいて信号パラメータを測定する。１つの例示的な態様では、ｅＣＲＳを受信すると、ｅＣＲＳを使用してＲＳＲＰを測定することなどにより、測定信号上で予想された測定をＵＥが実施し得る。
【００７６】
[0086]ブロック８０２において、ＵＥは、基準信号の品質を推定する。たとえば、ＵＥは、受信した信号のなどのＳＮＲ、ＳＩＮＲ、ＳＩＲを推定することにより、信号品質を測定し得る。
【００７７】
[0087]ブロック８０３において、ＵＥは、品質を推定することに応答して、基地局に報告するために信号パラメータを処理する。１つの例示的な態様では、推定された信号品質は、所定のしきい値と比較され得る。推定された信号品質が、そのしきい値を超える場合、ＵＥは、基地局に報告するために測定された信号パラメータ（たとえば、ＲＳＲＰ、ＣＱＩ、ＲＳＲＱなど）を指定し得る。したがって、受信した基準信号の信号品質がしきい値を満たさないとき、基準信号が正確に送信されなかった、または多すぎる干渉を受けたので、結果として得られる信号パラメータは、長期間の経路損失の測定値またはチャネル状態情報のものとして正確でない可能性がある。
【００７８】
[0088]図９は、ＲＳＲＰ測定値を取り出して報告するための、ＵＥ９０内の測定モデルを示すブロック図である。ＵＥ９０の測定モデルが、ＬＴＥ技術仕様（ＴＳ：Technical Specification）３６．３００に定義される。ＲＳＲＰ測定の目的は、監視されるセルについて、長時間の信号電力を追跡することである。示されるモデルによれば、物理層の内部で取られる測定値Ａ（たとえば、サンプル）は、レイヤ１フィルタ処理部９００へと入力される。レイヤ１フィルタ処理部９００は、ポイントＡにおいて測定された入力の内部フィルタ処理を可能にする。フィルタ処理の正確な方法またはタイプは、一般に、実装に依存する。実装（入力Ａおよびレイヤ１フィルタ処理部９００）により、正確にどのように物理層中で測定が実行されるのかは、規格によって規制されない。レイヤ１フィルタ処理部９００の出力は、フィルタ処理された測定値Ｂである。フィルタ処理された測定値Ｂは、次いで、レイヤ３フィルタ処理部９０１のために、レイヤ１によってレイヤ３に報告される。レイヤ３フィルタ処理部９０１は、レイヤ３フィルタがＲＲＣシグナリング９０３を介して構成される、標準化されたフィルタ処理を可能にする。Ｃにおけるフィルタ処理報告期間は、Ｂにおける１つの測定期間と等しい。したがって、Ｃは、レイヤ３フィルタ中で処理した後の、フィルタ処理された測定値である。報告レートは、ポイントＢにおける報告レートと同じであり得る。Ｃにおけるこの測定値は、１つまたは複数の報告基準の評価部９０２のための入力として使用される。報告基準の評価部９０２は、実際の測定値報告がポイントＤにおいて必要であるのかを検査する。評価は、たとえば、異なる測定値間で比較するため、基準のポイントＣにおける、測定値の１つよりも多いフローに基づき得る。測定値の異なるフローは、Ｃ’により表される。ＵＥ９０は、少なくとも、新しい測定結果がポイントＣ、Ｃ’で報告されるたびに、報告基準を評価する。報告基準は、やはり標準化されており、報告のための構成は、ＲＲＣシグナリング９０４によって提供される。報告基準の評価部９０２で決定されるように、標準化された基準が満たされると、最終的なＵＥ測定報告Ｄが、無線インターフェース上で送信され得る。
【００７９】
[0089]レイヤ１フィルタ処理部９００は、あるレベルの測定の平均化をもたらし得る。ＡにおいてＵＥ９０が物理的測定を実施することになる時間および割合は、出力測定値Ｂの性能要件が満たされるポイントに特有の実装であり得る。レイヤ３フィルタ処理部９０１および構成のために使用されるＲＲＣシグナリング９０３は規格中で指定されており、ＢとＣとの間のサンプル可用性には遅延をもたらさない。Ｃ、Ｃ’における測定値は、報告基準の評価部９０２で使用される入力であり得る。
【００８０】
[0090]レイヤ３フィルタ処理は、次式に従って定義される。
【数１】
0006797894.tif 000002
ここで、Ｍnは物理層から最近受信した測定結果であり、Ｆnは、報告基準の評価のためまたは測定報告のために使用される更新されたフィルタ処理された測定結果であり、Ｆn-1は、以前にフィルタ処理された測定結果であり、ここで、物理層からの最初の測定結果が受信されるとＦ0がＭ1に設定され、ａ＝１／２(k/4)であり、ここで、ｋは、構成パラメータ、ＲＲＣシグナリング９０３により受信される対応する測定量についてのフィルタ係数である。レイヤ３フィルタ処理部９０１についてのフィルタは、フィルタ係数ｋが２００ｍｓのサンプルレートを仮定することに注意して、フィルタの時間特性が異なる入力レートで保たれるように適合され得る。
【００８１】
[0091]ｋが０に設定される場合、レイヤ３フィルタ処理部９０１は適用可能でないことに留意されたい。さらに、フィルタ処理は、たとえば、対数的測定のための対数フィルタ処理など、測定報告のために、または報告基準の評価のために使用されるものと同じドメインで実施され得る。フィルタ入力レートは、規格中に設定される性能要件を満足するために、実装に依存する。
【００８２】
[0092]性能要件は、出力Ｂで定義され得、したがって、追加のレイヤ３フィルタ処理部９０１は、ＲＳＲＰ測定要件を緩和し得ないことにさらに留意されたい。この理由のために、本開示の様々な態様では、フィルタ係数ｋは、０に設定され得、レイヤ３フィルタ処理部９０１が適用されない。
【００８３】
[0093]１つの例示的な態様では、Ａにおいて生のＲＳＲＰ測定値がハードウェア中で獲得され、ＵＥ９０のソフトウェアに戻されると、ソフトウェア中のレイヤ１フィルタ処理部９００は、測定期間（デフォルト値は、８０ｍｓ、１００ｍｓ、１２０ｍｓなど、またはレガシーシステム中のように２００ｍｓでさえあってよい）中のいくつかの生のＲＳＲＰ測定値を選択し得、選択した生のＲＳＲＰ測定値を平均化することによりＲＳＲＰ報告を形成する。
【００８４】
[0094]単一の測定値は、サブフレームが経験した瞬間的な信号強度を反映し得る。１つのＲＳＲＰ測定が、Ａにおいて物理層上で実施され得、次いでＵＥ９０が、測定報告Ｄのために、レイヤ１フィルタ処理部９００およびレイヤ３フィルタ処理部９０１を実施し得る。測定結果が長期間の経路損失を反映するために、ＵＥ９０は、典型的には、平均化するため、複数の独立した測定サンプルＡを行うことになる。測定サンプルを独立にするために、測定は、同じ期間近くからの複数の測定値を含まないように、時間的にかなり十分に分離されるべきである。最小測定間隔の一例は、低速度チャネルの際でさえ隣接する測定値間で独立を保証するのに十分であり得る、４０ｍｓであり得る。さらなる最小測定間隔時間としては、３０ｍｓ、５０ｍｓ、６０、ｍｓなどを挙げることができる。測定値の実際の数Ｎ、および測定間隔Ｍは、規格の中の性能要件により規定され得る。
【００８５】
[0095]本開示の様々な態様は、測定信号の品質が所定のしきい値を超え、現在の信号パラメータ測定と以前の信号パラメータ測定との間の時間期間が最小時間しきい値Ｍ以上であるとき、ＲＳＲＰ、ＲＳＲＱ、ＣＱＩなどの信号パラメータ測定を有効とすることを可能にし得る。最小時間しきい値Ｍ内に、十分な数の有効な信号パラメータ測定が起こったのかに依存して、異なる行為がさらに行われ得る。
【００８６】
[0096]図１０は、本開示の一態様を実装するために実行される例示的なブロックを示すブロック図である。ブロック１０００において、信号パラメータは、競合ベースの周波数スペクトル上で受信された基準信号上で測定される。たとえば、基準または測定信号としては、ｅＣＲＳ、ＣＲＳ、ＣＳＩ−ＲＳなどを挙げることができる。ＲＳＲＰ、ＲＳＲＰ、ＣＱＩなどの信号パラメータは、この測定信号から測定され得る。
【００８７】
[0097]ブロック１００１において、基準信号の品質がしきい値を超えているとの決定が行われる。一態様では、信号対雑音比（たとえば、ＳＮＲ、ＳＩＮＲ、ＳＩＲなど）に基づいて決定され得る基準信号または測定信号の品質が、しきい値の品質と比較され得る。次いでＵＥが、測定信号の品質が十分であることを決定し得る。
【００８８】
[0098]ブロック１００２において、複数の独立したサンプル測定が存在するのかについて、決定が行われる。長期間の経路損失を正確に反映するために、複数の独立した測定サンプルが使用され平均化され得る。したがって、いくつかの測定サンプルは、最小時間しきい値Ｍよりも時間的に近くで取られるべきでない。
【００８９】
[0099]複数のサンプルが同じ時間しきい値Ｍ内で生じる、いくつかの測定サンプルが適切な間隔を開けずに取られる場合、ブロック１００３において、測定された信号パラメータは、ＵＥにより有効でないと決定される。ＵＥは、ブロック１０００におけるプロセスに戻ることになる。
【００９０】
[00100]しかし、ブロック１００４において、いくつかの測定サンプルが適切な間隔で取られる場合、測定された信号パラメータは、ＵＥにより有効であると決定される。
【００９１】
[00101]ブロック１００５において、有効な測定された信号パラメータの数が所定のしきい値よりも多いかについての決定が行われる。信号パラメータの長期間のインジケーションを正確に反映するために、複数の有効な信号パラメータ測定値が使用される。
【００９２】
[00102]有効な測定された信号パラメータの数が所定のしきい値よりも大きくない場合、ブロック１００６ａにおいて、ＵＥは、測定報告のために、最も最近の以前の有効な信号パラメータを識別し得る。そのような事例では、ＵＥは、最も最近の報告と変わらない測定値を報告することになる。したがって、ＵＥは、測定報告のために、最も最近の有効な測定値に戻って用いる。そのようなメカニズムは、基地局が媒体にアクセスすることが不可能である、または基地局は測定信号を送るが、測定信号が、測定期間Ｍ内のＵＥ受信において干渉を経験するときでさえ、測定された信号パラメータが長期間の状態を反映するのを確実にし得る。
【００９３】
[00103]この方式は、無効な測定がまれに発生するときに働き得る。ブロック１００６ａにおいて以前の測定値を報告することの１つの欠点は、無効な測定が常に発生する場合に、測定値が古くなり得ることである。この欠点を緩和する１つのオプションは、基地局が媒体にアクセスすることができない場合、基地局が測定報告を無視することであってよいことに留意されたい。しかし、基地局は、ＵＥが干渉を経験しているかを見分けることが不可能であることになり、したがって、ＵＥ干渉状態に起因して測定報告が古くなっていることがわからない場合がある。
【００９４】
[00104]ブロック１００６ａに対する代替態様では、有効な測定された信号パラメータの数が所定のしきい値よりも大きくない場合、または、時間的に、複数の独立した測定間の間隔が、最大時間しきい値よりも長い場合、ブロック１００６ｂにおいて、ＵＥは、測定期間内にＵＥが有効な測定を実施することが不可能であるというインジケーションを報告し得る。ブロック１００６ｂの代替実施形態では、ＵＥは、バースト性の干渉のために、測定期間内にＵＥが有効な測定を実施することが不可能であると信号伝達するために、基地局にインジケーションを報告する。このバースト性のインジケーションは、専用フラグもしくはビットでの明示、またはＵＥと基地局の両方により同意される所定の測定値を介した暗示のいずれかであり得る。基地局に送信されるバースト性のインジケーションで、基地局が測定報告を一度受信すると、基地局が測定期間の間に媒体にアクセスする場合に、ＵＥがバースト性の干渉を経験していると基地局にはわかる。このことは、基地局がＵＥについてのさらなる干渉環境情報を得ることを可能にし、基地局は、２次的なセル（ＳＣｅｌｌ：secondary cell）構成、ハンドオーバ動作などのために、そのような知識を使用することができる。
【００９５】
[00105]ＣＱＩを含む１つの例示的な態様では、ＵＥは、ＣＱＩ報告のため有効なｅＣＲＳに常に戻って用い得る。しかし、サービング基地局がＲＳＲＰに関するバースト性のインジケーションをやはり受信するが、報告からのＣＱＩが良好である場合、基地局は、ＣＱＩが古い可能性があると推論し得る。あるいは、ＵＥは、ＣＳＩ測定のための有効な基準信号を受信していないことを示す、ＣＱＩレベル０（ＴＳ  ３６．２１３で定義されるように、範囲外）を報告し得る。ｅＮＢは、ｅＮＢがチャネル状態情報のフィードバックに関する無効インジケーションを受信するときスケジュールのために以前のチャネル状態情報のフィードバックを使用できる、またはｅＮＢがスケジュールのために以前の有効な報告に基づいて外挿したＣＱＩを使用できる、またはｅＮＢがスケジュールのために何らかのデフォルトＣＱＩを使用できる、のいずれかである。
【００９６】
[00106]情報および信号は、多種多様な技術および技法のうちのいずれかを使用して表され得ることを、当業者は理解されよう。たとえば、上記の説明全体にわたって参照され得るデータ、命令、コマンド、情報、信号、ビット、シンボル、およびチップは、電圧、電流、電磁波、磁場もしくは磁性粒子、光場もしくは光粒子、またはそれらの任意の組合せによって表現され得る。
【００９７】
[00107]図８および図１０中の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００９８】
[00108]さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上では概してそれらの機能に関して説明された。そのような機能をハードウェアとして実装するか、ソフトウェアとして実装するかは、具体的な適用例および全体的なシステムに課された設計制約に依存する。当業者は、説明された機能を特定の適用例ごとに様々な方法で実装し得るが、そのような実装の決定は、本開示の範囲からの逸脱を生じるものと解釈されるべきではない。当業者はまた、本明細書で説明された構成要素、方法、または相互作用の順序あるいは組合せは例にすぎないこと、および本開示の様々な態様の構成要素、方法、または相互作用は、本明細書で例示し、説明されたもの以外の方法で組み合わせられるかまたは実行され得ることを容易に認識されよう。
【００９９】
[00109]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装されることもある。
【０１００】
[00110]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、および記憶媒体に情報を書き込むことができるように、プロセッサに結合される。代替的に、記憶媒体はプロセッサと一体化され得る。プロセッサおよび記憶媒体は、ＡＳＩＣ中に存在し得る。ＡＳＩＣは、ユーザ端末中に存在し得る。あるいは、プロセッサおよび記憶媒体は、ユーザ端末内のディスクリートな構成要素として存在し得る。
【０１０１】
[00111]１つまたは複数の例示的な設計では、説明した機能は、ハードウェア、ソフトウェア、ファームウェア、またはそれらの任意の組合せで実装され得る。ソフトウェアで実装される場合、機能は、１つもしくは複数の命令もしくはコードとしてコンピュータ可読媒体上に記憶されるか、またはコンピュータ可読媒体を介して送信され得る。コンピュータ可読媒体は、コンピュータプログラムのある場所から別の場所への転送を容易にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲に含まれるべきである。
【０１０２】
[00112]特許請求の範囲を含めて、本明細書で使用する場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含むものとして説明される場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）あるいは任意のこれらの組合せにおけるこれらのうちのいずれかを意味するような選言的列挙を示す。
【０１０３】
[00113]本開示についての以上の説明は、いかなる当業者も本開示を作成または使用することができるように与えられたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
ワイヤレス通信の方法であって、
競合ベースの周波数スペクトル上の基準信号を受信することと、
前記基準信号に基づいて信号パラメータを測定することと、
前記基準信号の品質を推定することと、
前記品質を前記推定することに応答して、基地局に報告するために前記信号パラメータを処理することと
を備える、方法。
［Ｃ２］
前記処理することが、
最後の有効な信号パラメータ以降の時間期間を決定することと、
前記時間期間が最小しきい値を超えることに応答して、有効な信号パラメータとして前記信号パラメータを識別することと
を含む、Ｃ１に記載の方法。
［Ｃ３］
現在の測定期間の間の信号パラメータ測定値の数を決定することと、
信号パラメータ測定値の前記数が最小測定しきい値を超えることに応答して、前記基地局に前記有効な信号パラメータを送信することと
をさらに含む、Ｃ２に記載の方法。
［Ｃ４］
信号パラメータ測定値の前記数が前記最小測定しきい値を超えていないことを決定することと、
信号パラメータ測定値の前記数が前記最小測定しきい値を超えていないことに応答して、前記最後の有効な信号パラメータを送信することと
をさらに含む、Ｃ３に記載の方法。
［Ｃ５］
信号パラメータ測定値の前記数が前記最小測定しきい値を超えていないことを決定することと、
前記基地局へのインジケーションを送信することとをさらに含む、ここにおいて、信号パラメータ測定値の前記数が前記最小測定しきい値を超えていないことを前記インジケーションが前記基地局に通知する、Ｃ３に記載の方法。
［Ｃ６］
前記インジケーションが、
明示的ビットインジケータ、
暗示的インジケータ、または
所定の信号パラメータ値
のうちの１つを含む、Ｃ５に記載の方法。
［Ｃ７］
ワイヤレス通信のために構成される装置であって、
競合ベースの周波数スペクトル上の基準信号を受信するための手段と、
前記基準信号に基づいて信号パラメータを測定するための手段と、
前記基準信号の品質を推定するための手段と、
前記品質の前記推定に応答して実行可能な、基地局に報告するために前記信号パラメータを処理するための手段と
を備える、装置。
［Ｃ８］
処理するための前記手段が、
最後の有効な信号パラメータ以降の時間期間を決定するための手段と、
前記時間期間が最小しきい値を超えることに応答して、有効な信号パラメータとして前記信号パラメータを識別するための手段と
を含む、Ｃ７に記載の装置。
［Ｃ９］
現在の測定期間の間の信号パラメータ測定値の数を決定するための手段と、
信号パラメータ測定値の前記数が最小測定しきい値を超えることに応答して、前記基地局に前記有効な信号パラメータを送信するための手段と
をさらに含む、Ｃ８に記載の装置。
［Ｃ１０］
信号パラメータ測定値の前記数が前記最小測定しきい値を超えていないことを決定するための手段と、
信号パラメータ測定値の前記数が前記最小測定しきい値を超えていないことに応答して、前記最後の有効な信号パラメータを送信するための手段と
をさらに含む、Ｃ９に記載の装置。
［Ｃ１１］
信号パラメータ測定値の前記数が前記最小測定しきい値を超えていないことを決定するための手段と、
前記基地局へのインジケーションを送信するための手段とをさらに含む、ここにおいて、信号パラメータ測定値の前記数が前記最小測定しきい値を超えていないことを前記インジケーションが前記基地局に通知する、Ｃ９に記載の装置。
［Ｃ１２］
前記インジケーションが、
明示的ビットインジケータ、
暗示的インジケータ、または
所定の信号パラメータ値
のうちの１つを含む、Ｃ１１に記載の装置。
［Ｃ１３］
プログラムコードを記録した非一時的コンピュータ可読媒体であって、前記プログラムコードが、
競合ベースの周波数スペクトル上の基準信号をコンピュータに受信させるためのプログラムコードと、
前記基準信号に基づいて信号パラメータを前記コンピュータに測定させるためのプログラムコードと、
前記基準信号の品質を前記コンピュータに推定させるためのプログラムコードと、
前記品質を前記コンピュータに推定させるための前記プログラムコードの実行に応答して実行可能な、基地局に報告するために前記信号パラメータを前記コンピュータに処理させるためのプログラムコードと
を備える、非一時的コンピュータ可読媒体。
［Ｃ１４］
前記コンピュータに処理させるための前記プログラムコードが
最後の有効な信号パラメータ以降の時間期間を前記コンピュータに決定させるためのプログラムコードと、
前記時間期間が最小しきい値を超えることに応答して、有効な信号パラメータとして前記信号パラメータを前記コンピュータに識別させるためのプログラムコードと
を含む、Ｃ１３に記載の非一時的コンピュータ可読媒体。
［Ｃ１５］
現在の測定期間の間の信号パラメータ測定値の数を前記コンピュータに決定させるためのプログラムコードと、
信号パラメータ測定値の前記数が最小測定しきい値を超えることに応答して、前記基地局に前記有効な信号パラメータを前記コンピュータに送信させるためのプログラムコードと
をさらに含む、Ｃ１４に記載の非一時的コンピュータ可読媒体。
［Ｃ１６］
信号パラメータ測定値の前記数が前記最小測定しきい値を超えていないことを前記コンピュータに決定させるためのプログラムコードと、
信号パラメータ測定値の前記数が前記最小測定しきい値を超えていないことに応答して、前記最後の有効な信号パラメータを前記コンピュータに送信させるためのプログラムコードと
をさらに含む、Ｃ１５に記載の非一時的コンピュータ可読媒体。
［Ｃ１７］
信号パラメータ測定値の前記数が前記最小測定しきい値を超えていないことを前記コンピュータに決定させるためのプログラムコードと、
前記基地局へのインジケーションを前記コンピュータに送信させるためのプログラムコードとをさらに含む、ここにおいて、信号パラメータ測定値の前記数が前記最小測定しきい値を超えていないことを前記インジケーションが前記基地局に通知する、Ｃ１５に記載の非一時的コンピュータ可読媒体。
［Ｃ１８］
前記インジケーションが、
明示的ビットインジケータ、
暗示的インジケータ、または
所定の信号パラメータ値
のうちの１つを含む、Ｃ１７に記載の非一時的コンピュータ可読媒体。
［Ｃ１９］
ワイヤレス通信のために構成される装置であって、
少なくとも１つのプロセッサと、
前記少なくとも１つのプロセッサに結合されるメモリと
を備え、
ここにおいて、前記少なくとも１つのプロセッサが、
競合ベースの周波数スペクトル上の基準信号を受信し、
前記基準信号に基づいて信号パラメータを測定し、
前記基準信号の品質を推定し、
前記品質の推定に応答して、基地局に報告するために前記信号パラメータを処理するように構成される、装置。
［Ｃ２０］
処理するための前記少なくとも１つのプロセッサの前記構成が、
最後の有効な信号パラメータ以降の時間期間を決定し、
前記時間期間が最小しきい値を超えることに応答して、有効な信号パラメータとして前記信号パラメータを識別する、前記少なくとも１つのプロセッサの構成を含む、Ｃ１９に記載の装置。
［Ｃ２１］
現在の測定期間の間の信号パラメータ測定値の数を決定し、
信号パラメータ測定値の前記数が最小測定しきい値を超えることに応答して、前記基地局に前記有効な信号パラメータを送信する、前記少なくとも１つのプロセッサの構成をさらに含む、Ｃ２０に記載の装置。
［Ｃ２２］
信号パラメータ測定値の前記数が前記最小測定しきい値を超えていないことを決定し、  信号パラメータ測定値の前記数が前記最小測定しきい値を超えていないことに応答して、前記最後の有効な信号パラメータを送信する、前記少なくとも１つのプロセッサの構成をさらに含む、Ｃ２１に記載の装置。
［Ｃ２３］
信号パラメータ測定値の前記数が前記最小測定しきい値を超えていないことを決定し、  前記基地局へのインジケーションを送信する、ここにおいて、信号パラメータ測定値の前記数が前記最小測定しきい値を超えていないことを前記インジケーションが前記基地局に通知する、前記少なくとも１つのプロセッサの構成をさらに含む、Ｃ２１に記載の装置。
［Ｃ２４］
前記インジケーションが、
明示的ビットインジケータ、
暗示的インジケータ、または
所定の信号パラメータ値
のうちの１つを含む、Ｃ２３に記載の装置。
【図１】
0006797894.tif 000003
【図２Ａ】
0006797894.tif 000004
【図２Ｂ】
0006797894.tif 000005
【図３】
0006797894.tif 000006
【図４】
0006797894.tif 000007
【図５】
0006797894.tif 000008
【図６】
0006797894.tif 000009
【図７】
0006797894.tif 000010
【図８】
0006797894.tif 000011
【図９】
0006797894.tif 000012
【図１０】
0006797894.tif 000013